(57)【特許請求の範囲】
【請求項１】
複数の画素が配列状態で縦横に形成されてなる主表示エリアが設けられるとともに、該主表示エリアの外側に、複数の画素が配列状態で縦横に形成されてなる副表示エリアが前記主表示エリアと別個に少なくとも１つ画成され、前記主表示エリアと前記副表示エリアに対して前記複数の画素を駆動するための配線がマトリクス状に縦横に複数配列形成されるとともに、前記マトリクス状の配線に駆動信号を印加する駆動手段が設けられる一方、
前記副表示エリアの輝度を制御する輝度信号制御手段が設けられ、前記副表示エリアの表示にタリーランプ表示機能がなされてなり、前記主表示エリアと前記副表示エリアとの間に画枠形成専用の配線と画素が設けられてなることを特徴とする画像表示装置。
【請求項２】
前記主表示エリアの平面視上下方向に個々に副表示エリアが設けられ、前記画枠形成専用の配線は、前記主表示エリアと前記副表示エリアの間の全体にわたり前記主表示エリアと前記幅表示エリアとを上下に区画する直線状の配線であることを特徴とする請求項１記載の画像表示装置。
【請求項３】
前記主表示エリアと前記副表示エリアの配線に駆動信号を印加する駆動手段の前段側にパス切り換え回路が設けられ、該パス切り換え回路に前記主表示エリア用の映像データと前記副表示エリア用の表示用データが入力自在とされ、前記パス切り換え回路の切り換え動作により、主表示エリア用の映像データが前記駆動手段に対して主表示エリア用の映像データとして送信自在とされ、前記副表示エリア用の表示データが前記駆動手段に対して副表示エリア用の表示用データとして送信自在とされるとともに、前記副表示エリア用の表示データは、ディマー制御信号により演算処理して前記副表示エリアに表示される輝度を制御可能なものとしたことを特徴とする請求項１または２に記載の画像表示装置。
【請求項４】
前記主表示エリアと副表示エリアの境界部分に前記主表示エリアのブラックマトリクスの一部が延長形成されてなることを特徴とする請求項１〜３のいずれかに記載の画像表示装置。
【発明の詳細な説明】
【０００１】
【発明の属する技術分野】
本発明はテレビカメラに接続してピント合わせ等に使用するビューファインダに用いて好適な画像表示装置に関する。
【０００２】
【従来の技術】
放送局のスタジオなどで使用されるテレビカメラのビューファインダはカメラマンがピント合わせや構図の確認などに使用するために設けられているが、このテレビカメラ用のビューファインダの側部には、タリーランプと称されるランプが設けられている。
【０００３】
このタリーランプは、テレビ画面を複数台のテレビカメラからの画像の切り換えで構成している場合に、どのテレビカメラが放映用として用いられているかを識別するために設けられるもので、一般にはテレビカメラにおいて出演者側に見やすい位置と、カメラマンに見やすい位置の両方に設けられ、出演者側に見やすい位置としてはテレビカメラ前方側から見える位置、例えばテレビカメラ中央頂上部に、カメラマンに見やすい位置としては前述のビューファインダの側部にそれぞれ設けられている。
従ってカメラマンは、複数台のテレビカメラが出演者を捉えている最中であっても、自分が操作しているテレビカメラが実際のテレビ画面構成用として選択されているかいないかをこのタリーランプの点灯状態で知ることができる。
【０００４】
また、一般に前記放送局用のテレビカメラの場合、ビューファインダはＣＲＴ（陰極線管）で作製されているとともに、タリーランプは高輝度ＬＥＤ（発光ダイオード）から構成され、ビューファインダの画面の外側に設けられる画枠に画面とは独立して取り付けられている。
【０００５】
【発明が解決しようとする課題】
ところで、近年、放送局用のテレビカメラにおいても小型軽量化の要求が強くなってきているので、ビューファインダを液晶表示装置で構成することで、ビューファインダを小型化、薄型化しようとする試みが推し進められてきているが、ビューファインダを液晶表示装置で構成して薄型化、小型化を図ったとしても、タリーランプを構成するＬＥＤは約６ｍｍと厚く、タリーランプを設けた分だけ液晶表示装置全体が厚くなってしまい、これがビューファインダの薄型化と小型化の障害になっていた。
【０００６】
次に、この種のタリーランプには、通常、赤色と緑色のものがあり、色別に異なる意味をなすものであるが、この外に使用者などの要求によりタリーランプの色を他の色に変更しようとしても、ＬＥＤの発色の問題から、多様な色のタリーランプを揃えることはできなかった。また、ＬＥＤで構成するタリーランプにあっては、赤色か緑色を点灯するか否かの表示形態のみが表示可能であり、文字情報の表示等は不可能であった。
また、この種のタリーランプは、使用する周辺環境により、点灯状態の識別が困難であったり、逆に高輝度で目障りになったりする。そこで使用する周辺環境により輝度を可変にすることが考えられるが、ＬＥＤで構成するタリーランプにあっては、輝度を上げるためにはＬＥＤに印加する電圧を上げなくてはならず、消費電力の増加につながっていた。
【０００７】
本発明は前記事情に鑑みてなされたもので、タリーランプとなり得る副表示エリアを画像表示装置の中に作り込むことによって従来必要であったＬＥＤのタリーランプを略し、もってタリーランプを備えたビューファインダ全体を薄型化可能であり、消費電力の削減もできる画像表示装置の提供を目的とする。また、副表示エリアに文字情報や画像情報を表示することができる画像表示装置の提供を目的とする。
【０００８】
【課題を解決するための手段】
本発明は前述の課題を解決するために、複数の画素が配列状態で縦横に形成されてなる主表示エリアが設けられるとともに、該主表示エリアの外側に、複数の画素が配列状態で縦横に形成されてなる副表示エリアが前記主表示エリアと別個に少なくとも１つ画成され、前記主表示エリアと前記副表示エリアに対して前記複数の画素を駆動するための配線がマトリクス状に縦横に複数配列形成されるとともに、前記マトリクス状の配線に駆動信号を印加する駆動手段が設けられる一方、前記副表示エリアの輝度を制御する輝度信号制御手段が設けられ、前記副表示エリアの表示にタリーランプ表示機能がなされてなり、前記主表示エリアと前記副表示エリアとの間に画枠形成専用の配線と画素が設けられてなることを特徴とするものである。
主表示エリアの外側に画成した副表示エリアに対し、主表示エリアに表示するべき画像信号とは別個に駆動手段から信号を供給できるので、この副表示エリアにタリーランプの表示に代わる情報を表示することが可能になる。副表示エリアは主表示エリアの外側に主表示エリアと同一面で作り込まれるので、別途ＬＥＤランプを設ける場合と異なり、主表示装置を不要に厚くすることがない。よって副表示エリアを設けることで表示装置全体が必要以上に厚くなってしまうことはない。
更に、前記主表示エリアと前記副表示エリアの配線に駆動信号を印加する駆動手段の前段側にパス切り換え回路が設けられ、該パス切り換え回路に前記主表示エリア用の映像データと前記副表示エリア用の表示用データが入力自在とされ、前記パス切り換え回路の切り換え動作により、主表示エリア用の映像データが前記駆動手段に対して主表示エリア用の映像データとして送信自在とされ、前記副表示エリア用の表示データが前記駆動手段に対して副表示エリア用の表示用データとして送信自在とされるとともに、前記副表示エリア用の表示データは、ディマー制御信号により演算処理して前記副表示エリアに表示される輝度を制御可能なものとした場合、ディマー制御信号により、この副表示エリアの液晶の透過率を主表示エリアとは別個に可変することで、消費電力を増加させることなく、使用する周辺環境に適した輝度に調整できる。
【０００９】
更に本発明において、前記主表示エリアの外周側に位置する画素が画枠表示用とされたことを特徴とする。
この画枠表示用の画素を主表示エリアに表示する画像とは別に駆動して表示用とすることで、主表示エリアの境界を画枠として使用者に容易に認識させることができ、副表示エリアと主表示エリアの区別も容易にできる。
【００１０】
また、主表示エリアと副表示エリアを液晶表示装置に作り込むことで、液晶表示装置が本来有する薄型性と小型性を備え、かつ、副表示エリアにタリーランプとしての機能を発揮させ得る画像表示装置を提供できる。更に、前記副表示エリアの配線を駆動することで副表示エリアに文字情報や画像情報を表示することも可能になる。従って従来のタリーランプが果たしていた単色の点灯表示機能の外に、所望のインジケータ類の表示あるいは文字情報や画像情報を主表示エリアとは別個の情報として表示させることができる。
更に本発明において、主表示エリアと副表示エリアの境界部分に前記主表示エリアのブラックマトリクスの一部を延長形成してなる構成としても良い。
また、本発明において、前記主表示エリア及び副表示エリアがアクティブマトリクス型液晶表示パネルからなるものでも良い。
更にまた、本発明において、前記主表示エリア及び副表示エリアが単純マトリクス型液晶表示パネルからなるものでも良い。
【００１１】
【発明の実施の形態】
以下に本発明の各実施形態を詳細に説明するが、本発明はこれらの各実施形態に限定されるものではない。
図１ないし図３は本発明をアクティブマトリクス方式の液晶表示装置に適用した第１実施形態の概略回路構成を示すものである。
図１と図２に示す構成において、多数のゲート配線Ｇ1、Ｇ2、Ｇ3、Ｇ4・・・、Ｇnと多数のソース配線Ｓ1、Ｓ2、Ｓ3、・・・、Ｓnとがマトリクス状に配線され、ゲート配線Ｇ1、Ｇ2、Ｇ3、Ｇ4・・・、Ｇnとソース配線Ｓ1、Ｓ2、Ｓ3、・・・、Ｓnとで囲まれた領域が主表示エリアＡとされるとともに、ゲート配線Ｇ・・・がゲートドライバ（ゲート配線駆動手段）１、２のいずれかに接続され、ソース配線Ｓ・・・がソースドライバ（ソース配線駆動手段）３、４、５、６、７、８のいずれかに接続されている。なお、図１と図２に示す回路は、図３を基に後に説明する透明基板間に液晶が封入された液晶表示装置の構造において一方の透明基板に回路が形成されたものを簡略化して示したものである。
【００１２】
これらゲート配線Ｇ・・・とソース配線Ｓ・・・の本数は、図１では簡略化のために少なく記載しているが、実際には主表示エリアＡで表示するべきテレビ画像の解像度に合わせて適宜の数に設定される。例えば、本実施形態の主表示エリアＡにおいて通常のテレビ画像の解像度に合わせてゲート配線Ｇが５４０本、ソース配線Ｓが２８８０本（９６０本×３：カラー表示のための３原色分）設けられる。
また、これらの配線を接続するためのゲートドライバとソースドライバの個数も主表示エリアＡで表示するテレビ画像の解像度に合わせた個数とする。即ち、ゲート配線Ｇ・・・を接続するためのゲートドライバは現在、１９０本程度の配線数接続可能なものが主流であるので、ゲート配線Ｇの本数に合わせて必要個数、例えばゲート配線５４０本の場合に３個程度（図１では簡略化のために２個のみを記載）、ソース配線Ｓ・・・を接続するソースドライバは３１０本程度の配線接続可能なものが主流であるので、ソース配線Ｓの本数に合わせて必要個数、例えばソース配線９６０本の場合に３原色分合わせて１０個程度（図１では説明の簡略化のために６個のみを記載）とされる。
【００１３】
なお、本実施形態において図１に示すゲート配線Ｇ1、Ｇ2、・・・、Ｇnのうち、順番の若い半分ほどのものが図１において主表示エリアＡの左側方上部側に設置されたゲートドライバ（駆動手段）１に接続され、このゲートドライバ１に隣接して設置されたゲートドライバ（駆動手段）２に残りのゲート配線Ｇ・・・が接続されていて、ゲート配線Ｇ1、Ｇ2、・・・、Ｇnの全てが駆動可能とされている。
更に、図１に示す主表示エリアＡの上方側にこのエリアと離間して左側から順にソースドライバ（駆動手段）３、４、５が配置され、主表示エリアＡの下方側にこのエリアと離間してソースドライバ（駆動手段）６、７、８が左側から順に設けられ、ソース配線Ｓ1、Ｓ2、Ｓ3、・・・、Ｓnのうち、奇数番目のソース配線が表示エリアＡの上方側でそのソース配線の延長位置に設けられているソースドライバに接続され、偶数番目のソース配線が表示エリアＡの下方側でそのソース配線の延長位置に設けられているソースドライバにそれぞれ接続されている。
従って例えば、図１においては奇数番目のソース配線Ｓ1、Ｓ3、Ｓ5・・・が表示エリアＡの上方側のソースドライバ３、４、５に、偶数番目のソース配線Ｓ2、Ｓ4、Ｓ6・・・が表示エリアＡの下方側のソースドライバ６、７、８にそれぞれ接続されているので、ソース配線は交互に上下のソースドライバに接続されていることになる。
【００１４】
次に、主表示エリアＡとその上側のソースドライバ３、４、５との間の部分に主表示エリアＡとは別個に、主表示エリアＡと同じ横幅で該主表示エリアＡよりも小さな縦幅の第１の副表示エリアＢが設けられ、主表示エリアＡとその下側のソースドライバ６、７、８との間の部分に主表示エリアＡとは別個に、前述の副表示エリアＢと同じ縦幅と横幅の第２の副表示エリアＣが設けられている。
【００１５】
第１の副表示エリアＢは、主表示エリアＡとソースドライバ３、４、５との間の領域にゲートドライバ１に接続されて設けられた複数本の副ゲート配線ＦＧ1、ＦＧ2、・・・、ＦＧn（図１においては簡略化のためにＦＧ1とＦＧ2とＦＧnの３本のみを記載）と、ソース配線Ｓ1、Ｓ2、・・・、Ｓnが主表示エリアＡを出てからソースドライバ３、４、５に達する途中の部分を副ソース配線として流用した配線群とで囲まれて構成されている。
第２の副表示エリアＣは、主表示エリアＡとソースドライバ５、６、７との間の領域にゲートドライバ２に接続されて設けられた複数本の副ゲート配線ＨＧ1、ＨＧ2、ＨＧ3、・・・、ＨＧn（図１では簡略化のためにＨＧ1とＨＧ2の２本のみを表示）と、ソース配線Ｓ1、Ｓ2、・・・、Ｓnが主表示エリアＡを出てからソースドライバ６、７、８に達する途中の部分を副ソース配線として流用した配線群とで囲まれて構成されている。
【００１６】
次に、図１に示す第１番目のゲート配線Ｇ1の上方側には画枠用ゲート配線ＧＧ1が、第ｎ番目のゲート配線Ｇnの下側には画枠用ゲート配線ＧＧ2がそれぞれ形成され、これら画枠用ゲート配線ＧＧ1とＧＧ2とによって主表示エリアＡの上端部と下端部が区画されている。また、第１の副表示エリアＢの第１番目のゲート配線ＦＧ1の更に上側には副表示エリア用の画枠用ゲート配線ＧＧ3が、副表示エリアＢの最終番めの副ゲート配線ＦＧnの下側には副表示エリア用の画枠用のゲート配線ＧＧ4がそれぞれ設けられていて、これら画枠用ゲート配線ＧＧ3とＧＧ4とによって第１の副表示エリアＢの図１における上部と下部が区画されている。  更に、第２の副表示エリアＣの第１番目のゲート配線ＨＧ1の更に上方側には副表示エリア用の画枠用ゲート配線ＧＧ5が、副表示エリアＣの最終番めの副ゲート配線ＨＧnの下側には画枠用のゲート配線ＧＧ6が設けられていて、これら画枠用ゲート配線ＧＧ5とＧＧ6とによって第２の副表示エリアＣの図１における上部と下部が区画されている。
【００１７】
次に、図１に示す第１番目のソース配線Ｓ1の更に左側にはソースドライバ６に接続された画枠用ソース配線ＧＳ1が第２の副表示エリアＣと主表示エリアＡと第１の副表示エリアＢのそれぞれの左端部を通過して設けられるとともに、第ｎ番目のソース配線Ｓnの更に右側にはソースドライバ８に接続された画枠用ソース配線ＧＳ2が第２の副表示エリアＣと主表示エリアＡと第１の副表示エリアＢのそれぞれの右端部を通過して設けられ、画枠用ソース配線ＧＳ1、ＧＳ2によって第１の副表示エリアＢの左右端部と主表示エリアＡの左右端部と第２の副表示エリアＣの左右端部がそれぞれ区画されている。
更に、主表示エリアＡと副表示エリアＢとの境界部分と、主表示エリアＡと副表示エリアＣとの境界部分にブラックマトリクスＢＭが形成されて各エリアが区画されている。
【００１８】
次に、図１に示す回路の部分拡大を図２に示し、図１に示す回路を実際の透明基板に作り込んで形成した本実施形態の液晶表示装置の代表的な構成例を図３に示す。
本実施形態の液晶表示装置は、図３に示すように上下に対向配置された一対の透明基板１０、１１間に液晶１２が封入されてなるもので、一方の透明基板１０上にソース配線Ｓ・・・とゲート配線Ｇ・・・を相互に絶縁された立体交差状態で平面視マトリクス状に設け、ソース配線Ｓ・・・とゲート配線Ｇ・・・とで囲まれた各エリアに画素電極１３を設け、各画素電極１３の一端部側に薄膜トランジスタＴを設けて概略構成されている。
【００１９】
更に詳細には、基板１０上に縦横に整列状態で多数の画素電極１３が相互に離間して等間隔に設けられ、基板１０上に画素電極１３・・・の間を通過するように横行のゲート配線Ｇ・・・が設けられ、こららを覆って図３に示すように絶縁膜１５が設けられ、画素電極１３の一端部側にゲート配線Ｇの一部を延出させてゲート電極１６が形成され、ゲート電極１６上の絶縁膜１５上に半導体能動膜１７と、その両端部のオーミックコンタクト膜１８と、ソース電極１９とドレイン電極２０とからなる薄膜トランジスタＴが形成され、絶縁膜１５上に前述のゲート配線Ｇ・・・に立体交差して平面視マトリクス状になるようにソース配線Ｓ・・・が形成されるとともに、ドレイン電極２０が絶縁膜１５に形成したコンタクトホール２２を通過して画素電極１３に接続されるとともに、これらを覆って絶縁膜２３が形成され、更に絶縁膜２３上に配向膜２４が設けられている。
【００２０】
次に、基板１１の下面側にはブラックマスク２５を介してカラーフィルタ２６と共通電極膜２７と配向膜２８が積層され、基板１０と基板１１とがカラーフィルタ２６を画素電極１３に対向させた状態に対向するように一体化されて液晶表示装置が構成されている。
なお、画素電極１３に対してカラーフィルタ２６は図２に示すようにＲ（赤）とＧ（緑）とＢ（青）のものが順次整列配置されていて、図２に示すように３つの画素電極１３が占める領域で１つの画素２９が構成され、カラー表示が可能なように構成されている。
【００２１】
以上説明の如く本実施形態では液晶表示装置が構成されているが、液晶表示装置において、画素電極１３、ゲート電極１６、半導体能動膜１７、ドレイン電極１９、ソース電極２０の形状や配置関係、カラーフィルタ２６の配置関係などは種々の形態が可能であるのは勿論であり、種々変更しても良いが、要は、薄膜トランジスタをスイッチング素子とした液晶表示装置においてゲート配線Ｇ・・・とソース配線Ｓ・・・を図１に示すように配置できて液晶表示装置として表示可能なものならば、いずれの構造でも本発明に採用できるのは勿論である。
【００２２】
なお、図１において、主表示エリアＡと第１の副表示エリアＢとの境界部分に設けられているブラックマスクＢＭによって主表示エリアＡと副表示エリアＢが画成され、主表示エリアＡと第２の副表示エリアＣとの間の境界部分に設けられているブラックマスクにより主表示エリアＡと副表示エリアＣとが画成されているが、これらのブラックマスクＢＭは、図３に示す構造において基板１１の下面側に設けられているブラックマトリクス２５の一部を延長して流用しても良い。
また、基板１１の下面側に内蔵して設けたブラックマスクである場合は、これを延長させて形成しても良い。要は、表示エリアＡとＢとＣを視覚上明確に画成するために表示エリアＡとＢとＣの各境界部分に相当する基板１０あるいは基板１１の位置にブラックマトリクスＢＭが適宜設けれられていれば良い。
【００２３】
次いで図１に示す液晶表示装置の副表示エリアＢ、Ｃにおけるゲート配線Ｇ・・・とソース配線Ｓ・・・の実用的な本数とゲートドライバ、ソースドライバの接続配線本数の関係について説明する。
現在、汎用のゲートドライバにおいて一般的な配線接続数は１９２出力線のものであり、ソースドライバにおいて一般的な配線接続数は３０９出力線のものである。よって、図１に示す構造において、テレビ画像を主表示エリアに満足に表示するためには、先に述べた通り、主表示エリアＡのゲート配線数を５４０本、ソース配線数を９６０×３＝２８８０本必要とする。そして、主表示エリアＡの画枠生成用に上下で２本必要とするので、画枠表示用を含めたゲート配線数は５４２本必要となる。これに対して前述の１９２主力線のものでは、３個設けた場合に１９２×３＝５７６本使用できるので、５７６−５４２＝３４本の余裕があり、３個のゲートドライバを設けることで、第１の副表示エリア用に１０本程度のゲート配線を、第２の表示エリア用に１０本程度のゲート配線をいずれも容易に接続して設けることができる。ここで副表示エリアＢとＣに１０本ずつゲート配線を適用するとすれば、副表示エリアＢ、Ｃの画枠表示用に２本、副表示エリアＢ、Ｃへの情報表示用に８本のゲート配線を使用することができる。
【００２４】
次に、汎用のソースドライバにおいて一般的な配線接続数は３０９本であるので、このソースドライバを１０個用いるとすると、３０９×１０＝３０９０本の接続が可能であるので、副表示エリアＢ、Ｃと主表示エリアＡの左右の画枠用に２本使用するとして、３原色分と考えると、９６２×３＝２８８６本であり、１０個のソースドライバを設けることにより３０９０−２８８６＝２０４本の余裕をもって充分に対応することができる。従って本実施形態の副表示エリアＢ、Ｃを設ける場合、従来用いていた汎用のゲートドライバとソースドライバの必要個数を特に増やす事なく、従来未使用として余っていた配線接続部を利用して副表示エリアの表示用として流用することができる。
【００２５】
図１に示す回路において、主表示エリアＡの外周側の画枠のうち、上端部の画枠を表示するために使用されるのは、画枠用ゲート配線ＧＧ1とこれに交差するソース配線ＧＳ1、Ｓ1、Ｓ2・・・Ｓn、ＧＳ2であり、主表示エリアＡの下端部の画枠を表示するために使用されるのは、画枠用ゲート配線ＧＧ2とこれに交差するソース配線ＧＳ1、Ｓ1、Ｓ2・・・Ｓn、ＧＳ2である。更に、主表示エリアＡの左端部の画枠を表示するために使用されるのは、ゲート配線ＧＧ1、Ｇ1、Ｇ2、・・・、Ｇn、ＧＧ2と画枠用ソース配線ＧＳ1であり、主表示エリアＡの右端部の画枠を表示するために使用されるのは、ゲート配線ＧＧ1、Ｇ1、Ｇ2、・・・、Ｇn、ＧＧ2と画枠用ソース配線ＧＳ2である。
以上のように主表示エリアＡの画枠が表示される画枠領域を図１に斜線で示してこの画枠領域を主表示エリアＡと区別して判別できるように示した。
【００２６】
図１に示す回路において、副表示エリアＢの外周部の画枠のうち、上端部の画枠を表示するために使用されるのは、画枠用ゲート配線ＧＧ3とこれに交差するソース配線ＧＳ1、Ｓ1、Ｓ2・・・Ｓn、ＧＳ2であり、下端部の画枠を表示するために使用されるのは、画枠用ゲート配線ＧＧ4とこれに交差するソース配線ＧＳ1、Ｓ1、Ｓ2・・・Ｓn、ＧＳ2である。更に、副表示エリアＢの左端部の画枠を表示するために使用されるのは、ゲート配線ＧＧ3、ＦＧ1、ＦＧ2、・・・、ＦＧn、ＧＧ4と画枠用ソース配線ＧＳ1であり、副表示エリアＢの右端部の画枠を表示するために使用されるのは、ゲート配線ＧＧ3、ＦＧ1、ＦＧ2、・・・、ＦＧn、ＧＧ4と画枠用ソース配線ＧＳ2である。
以上のように副表示エリアＢの画枠が表示される画枠領域を図１に斜線で示してこの画枠領域を副表示エリアＢと区別して判別できるように示した。
【００２７】
更に、図１に示す回路において、副表示エリアＣの外周部の画枠のうち、上端部の画枠を表示するために使用されるのは、画枠用ゲート配線ＧＧ5とこれに交差するソース配線ＧＳ1、Ｓ1、Ｓ2・・・Ｓn、ＧＳ2であり、下端部の画枠を表示するために使用されるのは、画枠用ゲート配線ＧＧ6とこれに交差するソース配線ＧＳ1、Ｓ1、Ｓ2・・・Ｓn、ＧＳ2である。更に、副表示エリアＣの左端部の画枠を表示するために使用されるのは、ゲート配線ＧＧ5、ＨＧ1、ＨＧ2、・・・、ＨＧn、ＧＧ6と画枠用ソース配線ＧＳ1であり、副表示エリアＣの右端部の画枠を表示するために使用されるのは、ゲート配線ＧＧ5、ＨＧ1、ＨＧ2、・・・、ＨＧn、ＧＧ6と画枠用ソース配線ＧＳ2である。
以上のように副表示エリアＣの画枠が表示される画枠領域を図１に斜線で示してこの画枠領域を副表示エリアＣと区別して判別できるように示した。
【００２８】
図１〜図３に示す構成の液晶表示装置であるならば、ゲート配線Ｇ1、Ｇ2、・・・、Ｇnとソース配線Ｓ1、Ｓ2・・・Ｓnを駆動して従来の液晶表示装置と同様に主表示エリアＡの画素電極１３・・・を駆動することで主表示エリアＡに通常のテレビ画像を表示することができる。
また、副表示エリアＢ、Ｃに存在するゲート配線とソース配線を利用して各副表示エリアＢ、Ｃに設けられている画素電極１３・・・を駆動するならば、副表示エリアＢ、Ｃに所望の情報を表示することができる。
この場合、副表示エリアＢ、Ｃをタリーランプの表示の代用として使用したいのであれば、赤色が点灯するように赤のカラーフィルタに対応する位置の画素電極１３・・・を用いて液晶の配向制御を行い、表示を行えば、主表示エリアＡの上方または下方の副表示エリアＢ、Ｃに赤の横線の表示を行うことができ、この赤線表示がタリーランプの役割を奏する。
また、副表示エリアＢ、Ｃはカラー表示が任意に選択できるので、従来のタリーランプで用いられていた赤色表示や緑色表示に限らず、所望のカラー表示ができるようになる。よってタリーランプとしての機能に加え、種々の色表示用として使用できる。従って使用者の好みに合わせたタリーランプの色を選択できる。更に、副表示エリアＢ、Ｃに設けた多数の画素電極１３を適宜駆動するならば、色表示のみに限らず、文字表示、画像表示がカラー表示で自由にできる。
【００２９】
次に、主表示エリアＡの外周部に画枠形成用にゲート配線とソース配線を設けてなり、画枠表示ができるとともに、画枠領域もカラー表示可能であるので、所望の色表示で主表示エリアＡの画枠を表示できる。また、同様に副表示エリアＢとＣにも画枠表示用のゲート配線とソース配線を設けているので、画枠表示ができるとともに、副表示エリアＢ、Ｃの画枠表示を所望の色で表示することができる。
更に本実施形態の液晶表示装置では、タリーランプの代用としての表示を副表示エリアＢ、Ｃで行うことができるが、副表示エリアＢ、Ｃは液晶表示装置の一部のゲート配線とソース配線を流用して液晶表示装置の中に作り込んで一体化してなり、液晶表示装置に別途ＬＥＤ等を別途設ける必要性はないので、ＬＥＤがない分だけ表示装置全体を薄型化することができる。従ってタリーランプ表示機能を備え、更には、副表示エリアＢとＣに所望の画像のカラー表示ができる表示装置を小型化、薄型化した状態で提供することができる。
【００３０】
図４ないし図６は本発明を単純マトリクス形式の液晶表示装置に適用した一実施形態を示すもので、本実施形態の構造においては先の実施形態の場合と配線の配置はほぼ同等であるが、主表示領域ＡＡを上下に２分割駆動するので状態が異なる。
また、先の薄膜トランジスタ型駆動の実施形態においては配線の部分が表示に寄与しない領域であり、配線間に設けられた画素電極１３に対応する領域が１つの色表示を行い、これが３原色分集合して１つの画素２９を構成していたが、本実施形態にあっては、マトリクス状に配線された配線において配線の交差部分が表示に寄与する領域となる点に違いがある。
【００３１】
まず、図４に示すようにマトリクス状に配列される配線電極において、主表示領域ＡＡが上下２分割され、上の領域において、コモン電極配線Ｇ1ａ、Ｇ2ａ、Ｇ3ａ・・・Ｇnａとセグメント電極配線Ｓ1ａ、Ｓ2ａ、Ｓ3ａ・・・、Ｓn-1ａ、Ｓnａが配列形成され、下の領域において、コモン電極配線Ｇ1ｂ、Ｇ2ｂ、Ｇ3ｂ・・・Ｇnｂとセグメント電極配線Ｓ1ｂ、Ｓ2ｂ、Ｓ3ｂ・・・、Ｓn-1ｂ、Ｓnｂが配列形成され、これらに囲まれた領域が主表示エリアＡＡとされている。
また、コモン電極配線Ｇ1ａ、Ｇ2ａ・・・Ｇnａは先の実施形態のゲート配線Ｇ1、Ｇ2、Ｇ3・・・Ｇnの一部がゲートドライバ１に接続された構造と同様に、コモンドライバ（駆動手段）１Ａに接続され、コモン電極配線Ｇ1ｂ、Ｇ2ｂ・・・Ｇnｂは先の実施形態のゲート配線Ｇ1、Ｇ2、Ｇ3・・・Ｇnの一部がゲートドライバ２に接続された構造と同様に、コモンドライバ（駆動手段）２Ａに接続され、セグメント電極配線Ｓ1ａ、Ｓ2ａ・・・Ｓnａはセグメントドライバ（駆動手段）３Ａ、４Ａ、５Ａに、セグメント電極配線Ｓ1ｂ、Ｓ2ｂ・・・Ｓnｂはセグメントドライバ（駆動手段）６Ａ、７Ａ、８Ａに接続されている。
【００３２】
次に、主表示エリアＡＡの上端部と下端部を区画する副コモン電極配線ＧＧ1ａとＧＧ2ａが設けられ、第１の副表示エリアＢＢを構成するための副コモン電極配線ＦＧ1ａ、ＦＧ2ａ、・・・、ＦＧnａが形成され（図面では簡略化のためにＦＧ1ａ、ＦＧ2ａのみが記載）、副表示エリアＢＢの上端部と下端部を区画する画枠コモン電極配線ＧＧ3ａ、ＧＧ4ａが形成されるとともに、第２の副表示エリアＣＣを構成するための、副コモン電極配線ＨＧ1ａ、ＨＧ2ａ、・・・、ＦＧnａが形成され（図面では簡略化のためにＨＧ1ａ、ＨＧ2ａのみが記載）、更に副表示エリアＣＣの上端部と下端部を区画する画枠コモン電極配線ＧＧ5ａ、ＧＧ6ａが形成されている。更に、主表示エリアＡＡと副表示エリアＢＢ、ＣＣの左右両端部を区画するための副セグメント電極配線ＧＳ1ａ、ＧＳ2ａもそれぞれ形成されている。
【００３３】
これらの配線電極が設けられる液晶表示装置では、図５に示すように上下一対の透明の基板３０、３１間に封止材３３により液晶３４が封入され、上の基板３０の下面側には横行の配線が、下の基板３１の上面側には縦列の配線が設けられている。
より詳細には、下の基板３１の上面にカラーフィルタ３５を介して絶縁膜３６と各縦列配線と配向膜３７とが積層され、上の基板３０の下面に絶縁膜３８と横行の配線と配向膜３９が積層されて液晶表示装置が構成されている。
なお、この第２実施形態の構造においても主表示エリアＡＡと副表示エリアＢＢとの間にブラックマトリクスが設けられて両者が画成されており、主表示エリアＡＡと副表示エリアＣＣとの間にブラックマトリクスが設けられて両者が画成されているが、図面においてブラックマスクの表示は省略した。具体的に図５に示す断面構造においてブラックマトリクスが設けられるのは、上基板３０側でも良いし、下基板３１側でも良い。
【００３４】
この実施形態においては、平面視において配線の交差した部分が表示エリアとされるので、図６に示すようにコモン電極配線Ｇ1ａ、Ｇ2ａ、Ｇ3ａ・・・と、セグメント電極配線Ｓ1ａ、Ｓ2ａ、Ｓ3ａの交差部分にカラーフィルタがＲ（赤）、Ｇ（緑）、Ｂ（青）の順に色別に順次配置され、これらのカラーフィルタが配置されたエリアが表示領域とされている。
【００３５】
図４ないし図６に示す構成の液晶表示装置であるならば、主表示エリアＡＡに通常のテレビ画像を表示することができる。また、副表示エリアＢＢ、ＣＣに存在する横行配線と縦列配線を利用して各副表示エリアＢＢ、ＣＣに所望の情報を表示することができる。この場合、副表示エリアＢＢ、ＣＣをタリーランプの表示の代用として使用したいのであれば、赤色が点灯するように赤のカラーフィルタに対応する表示を行えば、主表示エリアＡＡの上、または下の副表示エリアＢＢ、ＣＣに赤の横線の表示を行うことができ、この赤表示がタリーランプの役割を奏する。また、副表示エリアＢＢ、ＣＣはカラー表示が任意にできるので、赤表示に限らず所望の色表示ができる。よってタリーランプとしての機能に加え、種々の表示用として使用できる。
【００３６】
次に、主表示エリアＡＡの外周部に画枠構成用にコモン電極とセグメント電極を設けてなり、しかもそれもカラー表示可能であるので、所望の色表示で主表示エリアＡＡの画枠を表示できる。また、同様に副表示エリアＢＢとＣＣにも画枠表示用のコモン電極とセグメント電極を設けているので、副表示エリアＢＢ、ＣＣの画枠表示を所望の色で表示することができる。
更に本実施形態の液晶表示装置では、タリーランプの代用としての表示を副表示エリアＢＢ、ＣＣで行うことができるが、副表示エリアＢＢ、ＣＣは液晶表示装置の一部の横行配線と縦列配線を流用して液晶表示装置の内部に作り込んでなり、液晶表示装置に別途ＬＥＤ等を別途設ける必要性はないので、ＬＥＤがない分だけ表示装置全体を薄型化することができる。また、ＬＥＤのタリーランプであれば赤色や緑色に制約を受けていたが、カラーフィルタを用いた液晶表示であるならば任意の色を選択でできる。従って使用者の好みに合わせたタリーランプの色を選択できる。また、従来のＬＥＤ製のタリーランプであるならば、文字や画像表示は不可能であったが、本実施形態のごとく液晶表示装置を利用したものであるならば、主表示エリアＡＡの画像情報とは全く別個の画像や文字情報の表示が副表示エリアＢＢ、ＣＣにおいて可能になる。
【００３７】
図７は本発明に係る画像表示装置を液晶表示装置に適用した第３実施形態を示すもので、この形態において先に説明した第１実施形態の構造と同等の部分には同等の符号を付してそれらの部分の説明は省略する。
この実施形態において特徴があるのは、主表示エリアＡの上部側と下部側の副表示エリアＢ、Ｃに加え、主表示エリアＡの右側部側にも副表示エリアＤを設けた点である。
【００３８】
この副表示エリアＤにあっては、横行配線は先の第２実施形態のものをそのまま延長して用い、主表示エリアＡの右側方側に新たにソース配線を設けることで実現できる。副表示エリアＤの左右の画枠形成用に画枠用副縦列配線ＧＳ3、ＧＳ4を設け、それらの間に必要本数の副縦列配線ＦＳ1、ＦＳ2、・・・、ＦＳn（図７の場合に簡略化のために２本のみ表示）を設け、副表示エリアＤにおいて横行配線ＧＧ3、ＦＧ1、ＦＧ2、・・・、ＧＧ4、ＧＧ1、Ｇ1、Ｇ2、・・・、Ｇn、ＧＧ2、ＧＧ5、ＨＧ1、ＨＧ2、・・・、ＨＧn、ＧＧ6とこれらの副縦列配線ＦＳ1、ＦＳ2、・・・、ＦＳnにより副表示エリアＤにタリーランプ表示あるいはその他の文字表示、画像表示等の所望の表示を行うことができる。
【００３９】
以上説明のごとく副表示エリアＢ、Ｃ、Ｄは主表示エリアＡの周囲に１つあるいはそれ以上設けて良く、必要であれば４つ設けることができる。
ところで、これらの実施形態において、横行配線と縦列配線の本数はテレビ画像の解像度に合わせて任意数設けることができる。また、ＨＤＴＶ（ハイビジョンテレビ）では画面の縦横比が１６：９であり、通常のＮＴＣＳ方式のテレビ画像は４：３であるが、この両方の画像方式に対応するには、縦横比が１６：９のＨＤＴＶ用の画素数に合わせて横行配線と縦列配線の本数を決めて液晶表示装置を構成しておき、縦横比１６：９の画面内に縦横比４：３の画面を表示し、余った画面については黒表示としておくことで両方式に対応することができる。
【００４０】
図８は副表示エリアにおけるディマー制御（輝度制御）の実施形態の概略構成を示すものである。
カウンター４１において、水平同期信号ＨＤをトリガとしてクロックＣＬＫ数がカウントされ、水平表示データＨ＿ＰＯＳＩＴＩＯＮが作られる。次にデータ切換え信号発生回路４３においては、この水平表示データＨ＿ＰＯＳＩＴＩＯＮとタリー点灯信号ＴＡＬＬＹ＿ＯＮとからデータ切換え信号ＤＡＴＡ＿ＳＥＬＥＣＴ＿Ｈが作られる。ここで副表示エリアを水平方向に分割することにより、タリー点灯信号は１つあるいは複数個あっても良い。内部データ発生回路４５においては、このデータ切替え信号により、副表示エリアに表示する情報データを切り換え、表示用データＥＸＴＲＡ＿ＤＡＴＡ１を作る。ここで情報データとは、タリーの色情報のことであるが、文字情報や画像情報でも構わない。これらの情報は、予め内部データ発生回路に設定されている。なお、これらの情報を外部から変更できるようにしても良い。
【００４１】
次に、表示用データＥＸＴＲＡ＿ＤＡＴＡ１はディマー演算回路４６にてＡＤＣ（ＡＤコンバータ）４７でデジタル信号に変換されたディマー制御信号と演算処理され、副表示エリアに表示される輝度が制御された表示用ＥＸＴＲＡ＿ＤＡＴＡ２が作られる。
一方、カウンター４２において、垂直同期信号ＶＤをトリガとして水平同期信号ＨＤの数がカウントされ、垂直表示位置データＶ＿ＰＯＳＩＴＩＯＮが作られる。そして、デコード回路４８においては、この垂直表示位置データＶ＿ＰＯＳＩＴＩＯＮを基に、副表示エリアと主表示エリアの切換え信号ＤＡＴＡ＿ＳＥＬＥＣＴ＿Ｖが作られる。
パス切換え回路５０においては、この切換え信号により、主表示エリア用の映像データＤＡＴＡと副表示エリア用の表示用ＥＸＴＲＡ＿ＤＡＴＡ２が切り換えられ、出力データＤＡＴＡがソースドライバへ送られる。
以上説明のごとく、ディマー制御信号により、副表示エリアの液晶の透過率を主表示エリアとは別個に可変することができる。
【００４２】
【発明の効果】
以上説明したように本発明は、主表示エリアの周囲の少なくとも１つに画成した副表示エリアに対し、横行配線駆動手段と縦列配線駆動手段から主表示エリアに表示するべき画像信号とは別個に信号を供給できるので、これらの副表示エリアにタリーランプの表示に代わる情報を表示することが可能になる。
更に、前記主表示エリアと前記副表示エリアの配線に駆動信号を印加する駆動手段の前段側にパス切り換え回路が設けられ、該パス切り換え回路に前記主表示エリア用の映像データと前記副表示エリア用の表示用データが入力自在とされ、前記パス切り換え回路の切り換え動作により、主表示エリア用の映像データが前記駆動手段に対して主表示エリア用の映像データとして送信自在とされ、前記副表示エリア用の表示データが前記駆動手段に対して副表示エリア用の表示用データとして送信自在とされるとともに、副表示エリア用の表示データは、ディマー制御信号により演算処理して副表示エリアに表示される輝度を制御可能なものとした場合、ディマー制御信号により、副表示エリアの液晶の透過率を可変することで、消費電力を増加させるとなく、輝度の調整を行うことも可能である。
【００４３】
また、画枠表示用の画素を主表示エリアに表示する画像とは別に駆動して表示することができるので、主表示エリアの境界を画枠として使用者に容易に認識させることができ、副表示エリアと主表示エリアの区別も容易にできる。
【００４４】
次に本発明において、主表示エリアと副表示エリアとを液晶表示装置から構成し、両表示エリアを液晶表示装置の一対の透明基板に作り込むことで、液晶表示装置が本来有する薄型性と小型性を備え、かつ、副表示エリアにタリーランプとしての機能を発揮させ得る画像表示装置を提供できる。更に、主表示領域に設けるブラックマトリクスの一部を延長して主表示領域と副表示領域の境界部分に設けることで、主表示領域と副表示領域とを明確に画成することができる。
また、薄膜トランジスタを利用して画素を駆動する液晶表示装置の形態であるならば、高速応答が可能な副表示エリアを有する画像表示装置を提供できる。更に、副表示エリアにタリーランプとしての点灯機能に加え、副表示エリアの横行配線と縦列配線とを駆動することで副表示エリアに文字情報や画像情報を表示することも可能になる。従って従来のタリーランプが果たしていた単色の点灯表示機能の外に、所望の文字情報や画像情報を主表示エリアとは別個の情報として表示させることができる。
【図面の簡単な説明】
【図１】  図１は本発明に係る第１実施形態の回路構成を示す略図である。
【図２】  図２は図１に示す第１実施形態の回路の要部拡大図である。
【図３】  図３は図１に示す第１実施形態の回路を実際の液晶基板に形成した状態の断面図である。
【図４】  図４は本発明に係る第２実施形態の回路構成を示す略図である。
【図５】  図４に示す第２実施形態の回路を実際の液晶基板に形成した状態の断面図である。
【図６】  図４に示す回路配線の配置構成を示す略図である。
【図７】  本発明に係る第３実施形態の回路を示す略図である。
【図８】  副表示エリアのディマー制御の実施形態を示す略図である。
【符号の説明】
Ａ、ＡＡ・・・主表示エリア、Ｂ、ＢＢ、Ｃ、ＣＣ、Ｄ・・・副表示エリア、１、２・・・ゲートドライバ（駆動手段）、１Ａ、２Ａ・・・コモンドライバ（駆動手段）、３、４、５、６、７、８・・・ソースドライバ（駆動手段）、３Ａ、４Ａ、５Ａ、６Ａ、７Ａ、８Ａ・・・セグメントドライバ（駆動手段）、Ｇ1、Ｇ2、・・・、Ｇn・・・ゲート配線、Ｓ1、Ｓ2、・・・、Ｓn・・・ソース配線、ＧＧ１ａ〜ＧＧｎａ・・・、Ｇ１ｂ〜Ｇｎｂ・・・コモン電極配線、Ｓ１ａ〜Ｓｎａ・・・セグメント電極配線。
【図１】
0003874950.tif 000002
【図２】
0003874950.tif 000003
【図３】
0003874950.tif 000004
【図４】
0003874950.tif 000005
【図５】
0003874950.tif 000006
【図６】
0003874950.tif 000007
【図７】
0003874950.tif 000008
【図８】
0003874950.tif 000009